(57)【要約】【課題】適度なフィット感を持続することができるスポーツ用手袋を提供する。【解決手段】手袋本体と、該手袋本体の親指部分に形成された切欠き部に接合される親指袋とを備え、前記切欠き部の下端が手袋本体の下端まで延設され、前記親指袋は、その下端の一部が前記切欠き部と接合されない無接合部分を備え、前記親指袋を構成する親指片と前記切欠き部との接合部のうちの手掌側および手甲側の接合部のうち少なくとも片側が伸縮性生地により溶着接合される。親指袋と手袋本体との接合部を伸縮性生地により溶着接合することで、各片材料の伸縮性を生かし、装着時のフィーリングを向上させることができる。また、縫製箇所（縫い面積）を少なくしたので、手肌に縫い糸のアタリを少なくすることができ、グリップ掌握時の不快感を減少させる。【選択図】  図１
2009197364.tif 000002
【特許請求の範囲】
【請求項１】
手袋を構成する各片の接合部および各片に形成された切欠き部のうちの少なくとも一部が、伸縮性生地により溶着接合されたことを特徴とするスポーツ用手袋。
【請求項２】
手袋本体と、該手袋本体の親指部分に形成された切欠き部に接合される親指袋とを備え、前記手袋本体を構成する各片の接合部、および親指袋を構成する親指片と切欠き部との接合部のうちの少なくとも一部が伸縮性生地により溶着接合されたことを特徴とするスポーツ用手袋。
【請求項３】
手袋本体と、該手袋本体の親指部分に形成された切欠き部に接合される親指袋とを備え、前記親指袋を構成する親指片と前記切欠き部との接合部のうちの手掌側および手甲側の接合部のうち少なくとも片側が伸縮性生地により溶着接合されたことを特徴とするスポーツ用手袋。
【請求項４】
手袋本体と、該手袋本体の親指部分に形成された切欠き部に接合される親指袋とを備え、前記切欠き部の下端が手袋本体の下端まで延設され、前記親指袋は、その下端の一部が前記切欠き部と接合されない無接合部分を備え、前記親指袋を構成する親指片と前記切欠き部との接合部のうちの手掌側および手甲側の接合部のうち少なくとも片側が伸縮性生地により溶着接合されたことを特徴とするスポーツ用手袋。
【請求項５】
伸縮性生地により溶着接合される各片の接合部同士が突き合わされ、その突き合わせ部分が伸縮性生地により溶着接合されたことを特徴とする請求項１〜４のいずれかに記載のスポーツ用手袋。
【請求項６】
伸縮性生地が手袋の表面側および裏面側の少なくとも一面側から溶着されたことを特徴とする請求項１〜５のいずれかに記載のスポーツ用手袋。
【請求項７】
前記伸縮性生地は、テープ状に形成されたことを特徴とする請求項１〜６のいずれかに記載のスポーツ用手袋。
【請求項８】
手袋を構成する各片に形成された切欠き部を跨ぐように伸縮性生地が張設され、前記伸縮性生地が、手袋の裏面側から前記切欠き部の周縁に溶着接合されたことを特徴とするスポーツ用手袋。
【請求項９】
前記切欠き部が、手袋本体の手甲部分において第３指関節部分に対応して横方向に長い窓穴状に形成され、該切欠き部の周縁に手袋の裏面側から伸縮性生地が溶着接合されたことを特徴とする請求項８に記載のスポーツ用手袋。
【請求項１０】
手袋本体の手掌部分の表面側または裏面側に補強片が熱溶着されたことを特徴とするスポーツ用手袋。
【請求項１１】
手袋本体の手甲部分の手首側に手袋着脱用の切れ目が形成され、手袋着用後に前記切れ目を綴じるための止帯片が設けられ、該止帯片の内側とこれに対向する手甲部分の手首側に面状ファスナが設けられ、少なくとも手甲部分の面状ファスナが手甲部分に熱溶着されたことを特徴とするスポーツ用手袋。
【発明の詳細な説明】
【技術分野】
【０００１】
本発明は、ゴルフ用手袋、野球用手袋、テニス用あるいはラクロス用の手袋などのスポーツ用手袋に関するものである。
【背景技術】
【０００２】
ゴルフクラブを握るとき、親指以外の４本の指でグリップをその下側から握って、親指をグリップの上側に添え、両手を親指側にひねるようにしながら力強く握るようにしている。このとき、滑り止めとして、あるいはボールを打ったときに手に伝わる衝撃を緩和するためにゴルフ手袋を着用することが多く、通常、右利きの人は左手に、左利きの人は右手にゴルフ手袋を着用している。
【０００３】
このようなゴルフ手袋は、一般に、手袋本体に楕円形の切欠き部を開け、この切欠き部に親指を収容する親指袋の周縁を縫合することにより構成される（特許文献１参照）。
【特許文献１】特開２００２−３０２８１５号公報
【発明の開示】
【発明が解決しようとする課題】
【０００４】
ところで、特許文献１記載のゴルフ手袋は、親指袋の全周が手袋本体に縫合されているため、縫合部分において剛性が高くなり、生地の伸びが阻害されてしまう。そのため、特にグリップ掌握時に親指が窮屈となってしまう。適度なフィット感を得られないといった難点がある。
【０００５】
このことは、親指部分と手袋本体との接合部のみならず、手袋を構成する各片同士の接合部でも同様な問題点が指摘されていた。また、各片に形成される切欠き部、例えば、手掌側の各指片の基端部で、手の指の第３関節部分に横方向に形成されるスリット部が形成され、このスリット部に伸縮性生地からの横帯体が張設され、この部分に発生する皺を防止して適度なフィット感を得られるようにしているが、この横帯体部分においても、縫製部の縫い代が浮き、さらに、重ね縫い（通称ピケ縫い）の場合、材料の裁断面から縫い代まで約１mm程度が浮いた状態になり、ゴルフクラブのグリップ掌握時にフィット性に問題を生じていた。
【０００６】
また、縫製の場合、糸ほつれを起こすのを防止するため、返し縫いを行なうが、この返し縫いが肌に触れて違和感が生じる場合があった。さらに、ゴルフ手袋は、一般的な縫製技術に比べ高度な技術を必要とするため、熟練性を要するなど、品質面でも問題が生じていた。
【０００７】
このような問題点は、ゴルフ手袋のみならず、バットを握る野球用の手袋や、ラケットを握るテニス用あるいはラクロス用の手袋など、他のスポーツ用手袋においても同様に発生していた。
【０００８】
本発明は、上記課題に鑑み、主として、適度なフィット感を持続することができるスポーツ用手袋の提供を目的とする。
【課題を解決するための手段】
【０００９】
上記目的を達成するため、本発明に係るスポーツ用手袋は、手袋を構成する各片の接合部および各片に形成された切欠き部のうちの少なくとも一部が、伸縮性生地により溶着接合されたことを特徴とする。  上記構成によると、手袋を構成する各片の接合部を伸縮性生地により溶着接合しているので、手袋を構成する材料の伸縮性を生かすことができ、装着時のフィーリングを向上させることができる。また、縫製箇所（縫い面積）を少なくすることで、手肌に縫い糸のアタリを少なくすることができ、グリップ時の不快感を減少させることができる。また、溶着は加工上の特別な技術を必要としないため安定した稼働力と品質が見込める。
【００１０】
ここで、手袋を構成する各片とは、手掌側の構成片、手甲側の構成片、および親指袋の構成片をいう。手甲側に設けられた面状ファスナを有する止帯片も構成片の一つを構成する。各構成片は、単片あるいは複数の片のいずれであってもよい。
【００１１】
これらの構成片による手袋を例示すると、例えば、手袋本体と、該手袋本体の親指部分に形成された切欠き部に接合される親指袋とを備えたものが挙げられる。この場合、手袋本体を構成する各片の接合部、および親指袋を構成する親指片と切欠き部との接合部のうちの少なくとも一部が伸縮性生地により溶着接合されることになる。
【００１２】
各片の素材は、合成皮革、人工皮革、ニットなど、伸縮生地と溶着可能な素材ならば、特に限定されるものではない。溶着加工例としては、次の素材を貼り合わせる。合成皮革同士または人工皮革同士、合成皮革と人工皮革、合成皮革とニット、または人工皮革とニット、ニット同士が挙げられる。人工皮革は、天然皮革の外観や構造を模倣したもので、ポリエステル等の微極細繊維を不織布状にして、ポリウレタン樹脂の中に含浸したものである。合成皮革は、生地表面にポリウレタン樹脂等をコーティングするか、あるいは離型紙上にフィルムを作って基布に貼り合わせて形成されたものである。
【００１３】
溶着部位としては、各片の接合部位あるいは各片の切欠き部のうちの少なくとも一部であればよい。例えば、親指袋を構成する親指片と手袋本体側の切欠き部とを接合する場合、その接合部のうちの手掌側および手甲側の接合部のうち少なくとも片側が伸縮性生地により溶着接合される。もちろん、手掌側および手甲側の両接合部を伸縮性生地により溶着接合してもよい。
【００１４】
また、手袋本体と親指袋とを備えたスポーツ用手袋の中には、切欠き部の下端が手袋本体の下端まで延設され、前記親指袋は、その下端の一部が前記切欠き部と接合されない無接合部分を備えたものがある。このような構成の手袋をおいては、親指片の手掌側および手甲側の接合部の少なくとも一部が前記伸縮性生地により溶着接合される。
【００１５】
上記構成によると、親指袋の下端部は、切欠き部と接合されない無接合部分を備えているので、手袋本体の挿入口から溶着治具を挿入しやすくなり、溶着加工を容易に行うことができる。  溶着加工は、熱加工、高周波加工、超音波加工等、種々の手法により行われる。溶着加工は、ホットメルトを使用して溶融固化する場合の他、伸縮性生地や接合する素材そのものを溶融して接着する方法も採用可能である。
【００１６】
伸縮性生地は、少なくとも一方向、好ましく縦横の２方向、さらに好ましくは斜め方向も含めた４方向で伸縮性を有する。伸縮度は、接合する２部材と同等かそれ以上であればよい。伸縮度が低いと、縫製の場合と同様にツッパリ感が生じるからである。伸縮性生地の構造は、織布、不織布、編地のいずれであってもよい。素材としては、スパンデックス等のポリウレタン弾性繊維が好ましい。さらに、伸縮性生地は、熱を加えることにより溶着接合する性能（溶着性能）に優れたものが好ましい。
【００１７】
溶着対象の各片接合部は、突き合わせあるいは重ね合わせのいずれであってもよい。突き合わせの場合、各片の接合部がフラットになるので、グリップ時のフィット感を増大させることができる。各片を重ね合わせる場合でも、縫製のような縫い代が必要なく、縫い代が浮き上ることがないので、フィット感も良好になる。
【００１８】
伸縮性生地は切欠き部を覆う程度の面積を有する切片状のものや、テープ状のもののいずれであってもよい。各片を突き合わせて接合する場合は、テープ状の伸縮性生地で手袋の表面側および裏面側の少なくとも一面側から溶着する方が溶着作業性や見栄えの点からも好ましい。
【００１９】
また、手掌側の指片の第３関節部分に形成される窓穴状の切欠き部に貼る伸縮性生地のように、手袋を構成する各片に形成された切欠き部を跨ぐように伸縮性生地を張設する場合、片状の伸縮性生地を用い、これを手袋の裏面側で切欠き部の周縁に溶着接合する構成が好ましい。
【００２０】
裏面側から溶着接合することで、見栄えもよく、かつ縫製部分が少なくなるので、適度なフィット感を得ることができる。
【００２１】
なお、溶着加工として、これらと併用して、あるいは単独で、手袋本体の手掌部分の表面側または裏面側に補強片を熱溶着して、手袋と手が滑られないようにすることもできる。この場合、補強片を熱溶着しているため、補強片を縫い付ける場合に比して、縫い糸の当たりがなく、適度なフィット感を得ることができる。
【００２２】
また、手袋本体の手甲部分の手首側に形成された手袋着脱用の切れ目を綴じるための止帯片の内側とこれに対向する手甲部分の手首側に設けられた面状ファスナについて、少なくとも手甲部分の面状ファスナを手甲部分に熱溶着することもできる。
【００２３】
上記構成においては、面状ファスナを熱溶着することで、縫製部分がなくなり、適度なフィット感を持続することができる。
【００２４】
なお、本発明は、ゴルフ用手袋、野球用手袋、テニス用手袋、ラクロス用手袋など、種主のスポーツ用手袋に適用することができる。
【発明の効果】
【００２５】
本発明によると、手袋を構成する各片を従来のように糸で縫着することなく伸縮性生地により溶着接合しているので、糸による伸縮性生地の伸縮性が阻害されることがなく、伸縮性生地本来の伸びを確保することができる。しかも、手袋を構成する材料の伸縮性も生かすことができ、装着時のフィーリングを向上させることができる。
【発明を実施するための最良の形態】
【００２６】
以下、本発明の実施形態であるスポーツ用手袋としてゴルフ手袋を例に説明する。図１は本発明の一実施形態であるゴルフ用手袋の手掌側から見た正面図、図２はその手甲側から見た背面図、図３（ａ）は手袋本体の展開図、同図（ｂ）は親指袋の展開図、図４は溶着接合部の断面図、図５は手甲部分の窓穴状の切欠き部に伸縮性生地を溶着する状態を示す分解斜視図である。なお、図面に示すゴルフ手袋は左手用であるが、これが右手用であっても実質的な差異はない。
【００２７】
本実施形態のゴルフ手袋は、手袋本体１に、親指とその付根付近を覆う親指袋２が接合されてなる。
【００２８】
手袋本体１は、図３に示すように、皮革や合成皮革など種々の生地を、手甲側部３及び手掌側部４が人指側端部３ｂ、４ｂで連続した形で１枚のシート状に裁断し、手甲側部３及び手掌側部４の小指側端部５同士が縫合され、その他の指部分が縫合されて手袋形状に形成される。手袋を構成する皮革、合成皮革、ニットなどの生地は、スポーツ用として手にフィットするように伸縮性を有する。
【００２９】
さらに、手袋本体１の構成を詳述すると、その手甲側部３及び手掌側部４は、手甲部分３ａ又は手掌部分４ａの指先側に、親指以外の指に相当するそれぞれ四つの指部分３ｂ〜３ｅ、４ｂ〜４ｅが突出した形状とされ、親指袋２を取り付ける切欠き部６と、手首部分７の端部である手首側端７ａとを除いて周縁同士が互いに縫合される。
【００３０】
また、親指袋２を取り付ける切欠き部６では、人差指側から垂れ片３ｆが突設される。この垂れ片３ｆは、親指と人差指との谷間に位置し、グリップ時に、親指袋２の接合部分が親指に当たるのを防止できる。
【００３１】
図２に示すように、手甲側部３及び手掌側部４の人差し指部分３ｂ、４ｂの小指側、中指部分３ｃ、４ｃの両側、薬指部分３ｄ、４ｄの両側、及び小指部分３ｅ、４ｅの人指側は、マチ片８が介在されて立体的に縫合され、指を挿入できるように指袋が形成される。
【００３２】
また、手甲部分３ａの手首側には、着脱用の切れ目９と、着用後に切れ目を綴じるための止帯片１０とが設けられ、止帯片１０の内側と手甲部分３ａの手首側には図示しない面状ファスナが止着されている。特に、手甲部分の面状ファスナは、手甲部分にホットメルトにより熱溶着され、縫製による場合に比べて糸当たりをなくしている。
【００３３】
手甲側部３及び手掌側部４の親指袋２を取り付ける部分は、手甲側部３と手掌側部４とを互いに接合しないように、親指袋取付用切欠き部６が形成される。親指袋取付用切欠き部６は、略楕円形の穴で、かつ、その下端から手首側端７ａにかけて手袋本体１の手首部分７を分断するように帯状の隙間６ａを有している。この隙間６ａに、親指袋２の延長片２ｃが配され、該延長片２ｃが手袋本体１の手首部分７の一部を構成することとなる。
【００３４】
手甲側部３の上部には、図５に示すように、第３指関節部分に対応して横方向の長い窓穴状の切欠き部１５が形成され、この切欠き部１５に裏面側から伸縮性生地１６が貼り合わされる。貼り合わせは、伸縮性生地１６の周縁部が手甲側部３の構成片にリング状のホットメルト２１を介して溶着接合される。
【００３５】
親指袋２は、手甲側片２ａと手掌側片２ｂとが連続して構成され、親指袋取付切欠き部６に接合される下部開口を除いて、両者の周縁同士が縫合されて形成される。手甲側片２ａは、その下端の一部が手首端まで延設されて延長片２ｃが形成される。
【００３６】
このように形成された親指袋２は、手袋本体１の親指袋取付用切欠き部６の周縁に接合される。その際、接合部分の少なくとも一部分は、伸縮性生地１１により溶着接合される。
【００３７】
伸縮性生地１１は、ポリウレタン弾性繊維からなるスパンデックスからなる織布、不織布、あるいは編地から構成される。スパンデックスは、ゴムの数倍の引っ張り強度をもち、ゴムよりもよく伸びる性質を有する。本実施形態では、溶着接合するために使用することから、加工工程で与えられる熱により、スパンデックスが食い込むように変形し離れにくくなる、熱合着性能に優れたものが好ましい。
【００３８】
伸縮性生地１１は、熱加工、高周波加工、超音波加工等、種々の手法により、合成皮革等の各片に溶着接合される。伸縮性生地は、縦横の２方向の伸縮性を有する。伸縮度は、縦方向と横方向で同じ、または異なる場合のいずれであってもよい。伸縮度は、接合する２部材よりも大なる伸縮度となっている。
【００３９】
溶着対象の各片接合部は、図４に示すように、突き合わされ、フラット状態となっており、その表面側から１０ｍｍ幅程度のテープ状の伸縮性生地（以下、溶着テープ１１という）が溶着接合されている。本実施形態では、溶着テープ１１は、親指袋２の下端開口のうち、垂れ片３ｆの周縁を除いた、手掌部分及び手甲部分の大部分に貼り付けられている。勿論、垂れ片３ｆを含む切欠き部全域を溶着テープ１１により接合するようにしてもよい。
【００４０】
なお、本実施形態では、溶着テープ１１は、ホットメルト２２を介して各片接合部を溶着接合しているが、ホットメルト２２を使用しないで、溶着テープそのものを溶融して接合するようにしてもよい。
【００４１】
このような溶着テープ１１により、縫製箇所が少なくなるため、装着時に縫製部のようなツッパリ感がなくなる。また、グリップ掌握時において、縫製の場合の異なり、親指袋２の縦横方向へ伸びをさせやすくし、したがって、親指を曲げてもその動きに追従しやすく、フィット性の高いゴルフ用手袋となる。
【００４２】
また、手甲側部３の上部窓穴状の切欠き部１５では、裏面側から溶着接合された伸縮性生地１６によりにより、グリップ掌握時のフィット性を良好なものとする。特に、伸縮性生地１６は裏面側から溶着接合していても、縫製箇所がないので、手肌に縫い糸のアタリがなく、グリップ時の不快感をなくすことができる。
【００４３】
なお、本発明の溶着テープによる接合性能と従来の縫製による接合性能とを比較するために、ＪＩＳ  Ｌ  １０１８クラブ法に準拠して伸び寸法と伸び率とを測定した。試験片は、約２６０ｍｍ（長さ）×５０ｍｍ（幅）の合成皮革を用い、その長さ方向の中間位置（１３０ｍｍ）部分で分断した２片を溶着テープで溶着接合した試験片（本発明）と、両片を縫製により接合した試験片（比較例）とを作成した。溶着テープは、ポリウレタン弾性繊維からなるスパンデックスの編成地（旭化成製  ロイカ（登録商標））を使用した。各試験片のつかみ間隔は、２００ｍｍ、引っ張り速度を３０±２ｃｍ／ｍｉｎに設定して試験を行った。
【００４４】
試験の結果、縫製の場合は、伸び寸法が+６５．６ｍｍ、伸び率が３２．８％であったのに対し、溶着の場合は、伸び寸法が+２５０．９ｍｍ、伸び寸法１２５．５％であった。ここで、伸び寸法は、縫製の場合、縫い糸切れした伸び寸法であり、溶着の場合、チャック切れした（つかみ部分が切れた）寸法である。この結果、溶着により接合した合成皮革はその伸び率も大きくなることが判明した。
【００４５】
図６は本発明の別の実施形態を示すゴルフ手袋の正面図である。本実施形態では、親指袋２の下端開口部が、手袋本体１の親指袋取付用切欠き部６の周縁に接合される際、接合部分において、手袋本体側の手掌部と親指袋２との間に伸縮性生地１７が介在され、該伸縮性生地１７が手掌部４と親指袋２とに夫々溶着接合されている。この伸縮性生地１７は、各片の裏面側から貼り合わされている。また、親指袋２の他の個所は、上記実施形態とは異なり、縫製により縫い合わされているが、この縫製部分を上記実施形態のように、溶着テープ１１により溶着接合してもよい。
【００４６】
伸縮性生地１７は、上記実施形態と同様に、ポリウレタン弾性繊維からなるスパンデックスからなる織布、不織布、あるいは編地から構成される。
【００４７】
また、手袋本体１において、手掌側の指片の第３関節部分に形成されるスリット状の切欠き部１８には、これを跨ぐように横帯片としての伸縮性生地１９が、裏面側から切欠き部の周縁に溶着接合され、グリップ時に皺にならないようにしている。
【００４８】
このように、袋本体側の手掌部と親指袋２との間に介在された伸縮性生地１７により、グリップ掌握時に、親指部分が伸縮し、フィット感を増大することができる。この際、伸縮性生地１７は、縫製ではなく溶着により手掌部４および親指袋２の裏面側に接合されているので、見栄えもよく、かつ縫製部分が少なくなるので、適度なフィット感を得ることができる。
【００４９】
また、手掌側の横帯片としての伸縮性生地１９が、溶着接合されているので、縫製箇所がなく、手肌に縫い糸のアタリがなくなり、グリップ時の不快感をなくすことができる。
【００５０】
さらに、手掌部分には表面側または裏面側から革製などの補強片２０がホットメルトにて熱溶着され、手袋と手とが滑られないようにしている。この場合の補強片２０は、熱溶着されているので、縫製のように糸が手肌に当たらず、適度なフィット感を得ることができる。その他の構成及び作用効果は上記実施形態と同様であるので、その説明を省略する。
【００５１】
図７は面状ファスナを熱溶着した場合の実施形態を説明するための手袋の背面斜視図、図８（ａ）は従来の面状ファスナを縫製した場合の不具合を説明するための断面図、同図（ｂ）は同じく他の不具合を示す断面図である。
【００５２】
図８に示すように、面状ファスナを従来のように縫製する場合、糸２３は面状ファスナ２４の周縁より少なくとも５ｍｍ程度内側を縫製していくことになる。そうすると、図８（ａ）のように縫製部の縫い代２５が浮いて使用者が止帯片１０を外す際、面状ファスナ２４の縁部２４ａが爪の間に食い込んで怪我をするおそれがある。
【００５３】
また、図８（ｂ）に示すように、面状ファスナ２４を縫製する場合、ミシンの針２６で面状ファスナ２４（主に雄片２４ｂ）が生地側（例えば、手甲部分３ａ）に入り込んで、手肌に当たり、チクチク感を与えることになる。そのため、縫製の場合は、人が触って検品しているのが現状である。
【００５４】
このような従来の課題を解決するために、本実施形態では、面状ファスナを止帯片１０あるいは手首の手甲側部分に熱溶着されている。面状ファスナ２４は、その周縁２４ａまでも熱溶着し、周縁部が浮きあがるのを防止している。そのため、面状ファスナ２４の縁部２４ａが爪の間に食い込むこともなく、安全である。
【００５５】
さらに、面状ファスナ２４は止帯片１０に熱溶着しているので、縫製の場合のように、面状ファスナ２４の雄片２４ｂが生地側に入りこんで、手肌に当たることも防止することができる。
【図面の簡単な説明】
【００５６】
【図１】本発明の一実施形態であるゴルフ用手袋の手掌側から見た正面図
【図２】その手甲側から見た背面図
【図３】（ａ）は手袋本体の展開図、（ｂ）は親指袋の展開図
【図４】溶着接合部の断面図
【図５】手甲部分の窓穴状の切欠き部に伸縮性生地を溶着する状態を示す分解斜視図
【図６】本発明の別の実施形態であるゴルフ用手袋の手掌側から見た正面図
【図７】面状ファスナを熱溶着した場合の実施形態を説明するための手袋の背面斜視図
【図８】（ａ）は従来の面状ファスナを縫製した場合の不具合を説明するための断面図、（ｂ）は同じく他の不具合を示す断面図
【符号の説明】
【００５７】
１    手袋本体
２    親指袋
２ｃ  延長片
３    手甲側部
３ａ  手甲部分
４    手掌側部
４ａ  手掌部分
６    親指袋取付用切欠き部
７    手首部分
７ａ  手首側端
１１  溶着テープ（伸縮性生地）
１５  窓穴状の切欠き部
１６  伸縮性生地
１７  伸縮性生地
１８  スリット状の切欠き部
１９  伸縮性生地
２０  補強片
２１  ホットメルト
２２  ホットメルト
【図１】
2009197364.tif 000003
【図２】
2009197364.tif 000004
【図３】
2009197364.tif 000005
【図４】
2009197364.tif 000006
【図５】
2009197364.tif 000007
【図６】
2009197364.tif 000008
【図７】
2009197364.tif 000009
【図８】
2009197364.tif 000010